(57)【要約】【課題】警告情報の内容及び画像表示手段の動作状態に応じた報知方法で警告情報を報知する。【解決手段】警告情報管理部８０で予め定められた所定の警告が必要か否かを判別し、警告が必要と判断された場合に警告指示部７８で警告を指示する指示信号を生成し、ＬＣＤ監視部７２で指示信号の入力時にＬＣＤ３８の動作状態を認識する。警告実行部７４で、ＬＣＤ監視部７２でＬＣＤ３８が動作していないと認識されたときにスピーカ６８を用いて警告する音声警告モードを選択し、ＬＣＤ３８が動作していると認識されたときに当該ＬＣＤ３８を用いて警告する表示警告モードを選択する。また、重要度判別部７６で警告の重要度を判別し、警告実行部７４で、警告の重要度に応じて警告モードの選択結果を調整する。【選択図】　図３
2004015616.tif 000002
【特許請求の範囲】
【請求項１】
被写体像を撮像し、本体に設けられた画像表示手段の表示領域に前記撮像した被写体像を表示すると共に、画像データを記録媒体へ記録するデジタルカメラであって、
音声によって情報を報知する音声報知手段と、
予め定められた所定の警告が必要か否かを判別する判別手段と、
前記判別手段の判別結果で警告が必要と判断された場合に警告を指示する指示信号を出力する出力手段と、
前記指示信号の入力時に、前記画像表示手段の動作状態を認識する認識手段と、
前記認識手段で前記画像表示手段が動作していないと認識されたときに前記音声報知手段を用いて警告する音声警告モードを選択し、前記画像表示手段が動作していると認識されたときに当該画像表示手段を用いて警告する表示警告モードを選択する出力系選択手段と、
前記出力系選択手段で選択された出力系を制御して警告を実行する警告実行制御手段と、
を有するデジタルカメラ。
【請求項２】
前記出力系選択手段による選択に加え、前記警告の重要度に応じて警告モードの選択結果を調整する調整手段をさらに有することを特徴とする請求項１に記載のデジタルカメラ。
【請求項３】
前記警告が最も高い重要度である場合に、前記出力系選択手段の選択結果にかかわらず、前記調整手段によって音声警告モード及び表示警告モードを選択することを特徴とする請求項２に記載のデジタルカメラ。
【発明の詳細な説明】
【０００１】
【発明の属する技術分野】
本発明は、被写体像を撮像し、本体に設けられた画像表示手段の表示領域に前記撮像した被写体像を表示すると共に、画像データを記録媒体へ記録するデジタルカメラに関する。
【０００２】
【従来の技術及び発明が解決しようとする課題】
従来、被写体像を撮像して画像データとして記憶し、画像表示手段として設けられたＬＣＤを動作させることで当該ＬＣＤの表示領域に被写体像を表示できるデジタルカメラでは、ファインダーを覗いて又はＬＣＤに表示された被写体像を見ながらアングル等を決定して撮像し、画像データとして一時記憶した後Ｉ／Ｆを介して接続されたメモリカードに保存する。
【０００３】
また、ユーザーが不都合なくデジタルカメラを使用できるように、各種情報を提供するようになっており、各種情報を提供するために、様々な工夫がなされている。
【０００４】
例えば、メモリカードの空容量が少ない、バッテリが残り少ない等、ユーザーが気付かずに使用を継続することで不具合が生じる可能性がある状態を、ＯＳＤ（Ｏｎ　Ｓｃｒｅｅｎ　Ｄｉｓｐｌａｙ）機能等によりＬＣＤの画面上に警告情報を表示する方法（特開平０７−１２０８２５号公報及び特開平０８−１３９９７１号公報）がある。
【０００５】
しかし、ＬＣＤはユーザーによってＯＮ／ＯＦＦの切替えが可能とされており、ＬＣＤをＯＦＦにしていると警告情報が報知されないという問題点がある。
【０００６】
また、操作方法や動作状態を音声ガイダンスにより報知する方法（特開平１０−８４４０４号公報）や、着脱自由な音声ガイダンス部を設け、操作の手順を音声で指示する方法（特開平１０−３１３４２０号公報）等がある。
【０００７】
しかし、ＬＣＤをＯＮにして撮影するときは、ＬＣＤ画面上に情報を表示する方法でも充分である。
【０００８】
また、情報には内容によって重要な情報とそれほど重要でない情報とがあり、この重要度によって適した情報の報知方法がある。
【０００９】
そこで、本発明は上記事実を考慮して、警告情報の内容及び画像表示手段の動作状態に応じた報知方法で警告情報を報知するデジタルカメラを得ることが目的である。
【００１０】
【課題を解決するための手段】
請求項１に記載の発明は、被写体像を撮像し、本体に設けられた画像表示手段の表示領域に前記撮像した被写体像を表示すると共に、画像データを記録媒体へ記録するデジタルカメラであって、音声によって情報を報知する音声報知手段と、予め定められた所定の警告が必要か否かを判別する判別手段と、前記判別手段の判別結果で警告が必要と判断された場合に警告を指示する指示信号を出力する出力手段と、前記指示信号の入力時に、前記画像表示手段の動作状態を認識する認識手段と、前記認識手段で前記画像表示手段が動作していないと認識されたときに前記音声報知手段を用いて警告する音声警告モードを選択し、前記画像表示手段が動作していると認識されたときに当該画像表示手段を用いて警告する表示警告モードを選択する出力系選択手段と、前記出力系選択手段で選択された出力系を制御して警告を実行する警告実行制御手段と、を有することを特徴としている。
【００１１】
請求項１に記載の発明によれば、判別手段で予め定められた所定の警告が必要か否かを判別し、出力手段で判別手段の判別結果で警告が必要と判断された場合に警告を指示する指示信号を出力し、認識手段で指示信号の入力時に画像表示手段の動作状態を認識するようになっており、警告指示があったときに画像表示手段の動作状態が認識できる。
【００１２】
また、音声報知手段で音声によって情報を報知し、出力系選択手段では、認識手段で前記画像表示手段が動作していないと認識されたときに音声報知手段を用いて警告する音声警告モードを選択し、画像表示手段が動作していると認識されたときに当該画像表示手段を用いて警告する表示警告モードを選択するようにしており、画像表示手段の動作状態を考慮して警告情報の出力系を選択し、警告実行制御手段で前記出力系選択手段で選択された出力系を制御して警告を実行するため、画像表示手段が動作していない場合でも警告情報を報知できる。
【００１３】
請求項２に記載の発明は、請求項１に記載の発明において、前記出力系選択手段による選択に加え、前記警告の重要度に応じて警告モードの選択結果を調整する調整手段をさらに有することを特徴としている。
【００１４】
請求項２に記載の発明によれば、請求項１に記載の出力系選択手段は、警告の重要度に応じて警告モードの選択結果を調整する調整手段をさらに有しており、例えば、重要度を２つの区分に設定し、重要度が高い警告については音声警告モードで報知すると共に画像表示手段が動作しているときだけ表示警告モードでも報知を行うようにし、重要度の低い警告については画像表示手段が動作している場合のみ表示警告モードで報知することで、画像表示手段の動作状態と重要度との両方を考慮して警告情報を報知することができる。
【００１５】
なお、重要度の判別区分は２つに限らず、いくつ設けてもよい。
【００１６】
請求項３に記載の発明は、請求項２に記載の発明において、前記警告が最も高い重要度である場合に、前記出力系選択手段の選択結果にかかわらず、前記調整手段によって音声警告モード及び表示警告モードを選択することを特徴としている。
【００１７】
請求項３に記載の発明によれば、請求項２に記載の調整手段は、前記警告の重要度が最も高い場合、出力系選択手段の選択結果にかかわらず、音声警告モード及び表示警告モードの両方を選択するようにしており、ユーザーへの注意を促すことができる。
【００１８】
【発明の実施の形態】
図１に本実施の形態に係るデジタルカメラ１０における制御系が示されている。デジタルメラ１０には、撮像部１８が配設されている。撮像部１８は、レンズ１８Ａ、メカニカル・シャッタ及び絞り（図示省略）が配設され、レンズ１８Ａから入射した光を、メカニカル・シャッタが開放しているときに、絞りを介して、ＣＣＤ１８Ｂに入射させる構成である。
【００１９】
また、デジタルカメラ１０にはストロボ１２が設けられ、必要に応じて、ストロボ制御部１４の制御により、手動又は自動で発光するようになっている。
【００２０】
デジタルカメラ１０の前記撮像部１８、ストロボ制御部１４を含む各制御デバイスは、バス１６によって接続され、ＣＰＵ２０によってその動作が制御されるようになっている。各制御デバイスは、バッテリ２２からの電源が供給され、動作可能となっている。
【００２１】
バス１６には、制御デバイスとして、システムメモリ（ＲＡＭやＲＯＭ）２４、不揮発性メモリ２６、タイマ機能部２８、カレンダ／時計機能部３０がそれぞれ接続されている。
【００２２】
また、バス１６には、Ｉ／Ｏポート３２が接続され、このＩ／Ｏポート３２には、デジタルカメラ１０の筐体３４（図２参照）に取り付けられる操作・表示系３６からの信号の入出力がなされる。
【００２３】
図２（Ａ）に示される如く、デジタルカメラ１０の筐体３４の裏面側（前記撮像部１８が配設された側とは反対側）には、液晶モニタ（ＬＣＤ）３８が配設されている。
【００２４】
また、操作・表示系として、筐体３４の裏面側におけるＬＣＤ３８の上部には、ＬＣＤ３８の表示スイッチ４０が設けられており、ＬＣＤ３８は表示スイッチ４０の操作によりＯＮ／ＯＦＦが切替えられる。また、ＬＣＤ３８の右側には、前記ＬＣＤ３８上に表示される画像のコマ切り替え、項目選択等に適用される円形の上下左右キー４２が配設されている。この円形の上下左右キー４２の軸線を上下左右に傾斜することで、それぞれに傾斜させたときに異なるスイッチの接点が切り替わり、当該切り替え信号が前記Ｉ／Ｏ３２（図１参照）に入力されるようになっている。
【００２５】
この上下左右キー４２の下部には、縦方向に上からメニューボタン４４、実行ボタン４６、取消ボタン４８が配列されている。また、筐体３４の上面には、レリーズボタン５０とモード設定ダイヤル５２とが設けられている。
【００２６】
モード設定ダイヤル５２とメニューボタン４４とが操作されると、ＬＣＤ３８上には、例えば、各種設定を行うためのセットアップ画面が表示されるようになっている。
【００２７】
実行ボタン４６は、上記セットアップ画面５４上で、前記上下左右キー４２による機能選択後の決定時に操作され、取消ボタン４８は、当該決定した機能のキャンセルの際に操作される。
【００２８】
なお、ＬＣＤ３８のＯＮ／ＯＦＦを切替えるために前記表示スイッチ４０を別途設けたが、この上下左右キー４２の操作にＬＣＤのＯＮ／ＯＦＦ設定モードを設けて、ＬＣＤのＯＮ／ＯＦＦの設定を行うようにしてもよい。
【００２９】
また、図２（Ｂ）に示される如く、デジタルカメラ１０の筐体３４の前面には、前記撮像部１８のレンズ１８Ａが露出可能な開口部６０が設けられている。この開口部６０には、円板状のシャッター６２が取り付けられている。このシャッター６２は、デジタルカメラ１０の電源スイッチ６４（図２（Ａ）参照）の動作に連動して、前記開口部６０を閉止する位置並びに開口する位置に移動可能（図２（Ｂ）の矢印Ａ参照）な駆動系を備えている。
【００３０】
すなわち、電源がオフの状態では、シャッター６２は開口部６０を閉止することで、レンズ１８Ａを保護し、電源がオンの状態では、シャッター６２を開口部６０から退避させることで、撮影可能な状態とすることができるようになっている。
【００３１】
図１に示される如く、バス１６には、カードＩ／Ｆ５６を介して、記録媒体としてのメモリカード５８が着脱可能なメモリカードスロット６０が接続されている。前記撮像部１８で撮影された画像データは、このメモリカードスロット６０に装填されたメモリカード５８に記録されることになる。
【００３２】
前記撮像部１８に入力された信号は、信号処理部１０４に送出され、ノイズ低減処理が施されると共に、ゲインコントロールがなされ、Ａ／Ｄ変換部１０６へ送出される。
【００３３】
Ａ／Ｄ変換部１０６でＡ／Ｄ変換された画像データは、ＣＰＵ２０からの指示に応じて、圧縮／伸長部１０８へ送られて圧縮処理（ＪＰＥＧ）がなされるか或いはそのまままの状態でカードＩ／Ｆ５６を介してメモリカードスロット６０へ送られるようになっている。
【００３４】
メモリカード５８に記録された画像データは、ＣＰＵ２０からの再生表示指示に基づいて読み出され、フレームメモリ１１０に格納され、ＬＣＤ制御部１１２の制御により、ＬＣＤ３８に表示される。なお、このとき、ＬＣＤ３８には、ＯＳＤ（オンスクリーンディスプレイ部）１１４によって制御される、当該画像データに基づく画像表示と共に文字やキャラクタデータ等が重ねて表示されるようになっている。
【００３５】
なお、バス１６には、外部Ｉ／Ｆ１１６が接続され、コネクタ１１８を介してパソコン等の外部制御装置（以下ＰＣ１２０という）と直接接続することが可能となっており、このＰＣ１２０に前記メモリカード５８に記録した画像データを伝送することができるようになっている。
【００３６】
図１に示される如く、バス１６には、カードＩ／Ｆ５６を介して、記録媒体としてのメモリカード５８が着脱可能なメモリカードスロット６０が接続されている。前記撮像部１８で撮影された画像データは、このメモリカードスロット６０に装填されたメモリカード５８に記録されることになる。
【００３７】
前記撮像部１８に入力された信号は、信号処理部１０４に送出され、ノイズ低減処理が施されると共に、ゲインコントロールがなされ、Ａ／Ｄ変換部１０６へ送出される。
【００３８】
Ａ／Ｄ変換部１０６でＡ／Ｄ変換された画像データは、ＣＰＵ２０からの指示に応じて、圧縮／伸長部１０８へ送られて圧縮処理（ＪＰＥＧ）がなされるか或いはそのまままの状態でカードＩ／Ｆ５６を介してメモリカードスロット６０へ送られるようになっている。
【００３９】
メモリカード５８に記録された画像データは、ＣＰＵ２０からの再生表示指示に基づいて読み出され、フレームメモリ１１０に格納され、ＬＣＤ制御部１１２の制御により、ＬＣＤ３８に表示される。なお、このとき、ＬＣＤ１１２には、当該画像データに基づく画像表示と共に、ＯＳＤ（オンスクリーンディスプレイ部）１１４によって制御される文字やキャラクタデータ等が重ねて表示されるようになっており、操作のアドバイスやヘルプ機能の他、バッテリ２２の残量、メモリカード５８の空容量等が残り少ないことを示す警告情報が表示される。
【００４０】
なお、バス１６には、外部Ｉ／Ｆ１１６が接続され、コネクタ１１８を介してパソコン等の外部制御装置（以下ＰＣ１２０という）と直接接続することが可能となっており、このＰＣ１２０に前記メモリカード５８に記録した画像データを伝送することができるようになっている。
【００４１】
ここで、本実施の形態では、警告情報の報知を制御する警告部７０がバス１６に接続されている。また、警告情報の報知は、ＯＳＤ１１４を介してＬＣＤ３８に警告情報を報知する表示警告モードと、スピーカ６８に警告情報を報知する音声警告モードとを用いており、スピーカ６８はデジタルカメラ１０の筐体３４の裏面側に設けられ、図１に示される如く、ドライバ６６を介してバス１６に接続されている。
【００４２】
図３には、警告部７０と警告情報の報知手段であるＬＣＤ３８及びスピーカ６８の制御を示すブロック図が示されている。
【００４３】
警告部７０には、デジタルカメラ１０の状態に応じて予め定められた警告情報を記憶する警告情報記憶部６７が設けられ、警告情報をスピーカ６８で再生するための音声データ（音声ガイダンスデータ）６７Ａと、警告情報をＯＳＤ機能により表示するための表示データ６７Ｂとが記憶されている。
【００４４】
また、警告部７０には、デジタルカメラ１０の各部の状態を検知可能な警告情報管理部８０が設けられており、予め定められた警告が必要である状態を検知する。さらに、警告指示信号を生成する警告指示部７８が設けられ、警告情報管理部８０で検知されたデジタルカメラ１０の状態に従い、警告指示信号を生成する。
【００４５】
本実施の形態では、警告指示信号に基づいて警告情報を４段階の重要度に判別する（図５参照）重要度判別部７６を設けると共に、ＬＣＤ３８の動作状態を監視するＬＣＤ監視部７２を設けており、警告情報の重要度とＬＣＤ３８の動作状態とに応じた警告モードを設定している。
【００４６】
警告部７０には、警告情報を各報知手段によって報知する警告情報警告実行部７４が設けられ、警告情報の重要度に応じて予め定められた警告モードを選択し、ＬＣＤ監視部７２で検出したＬＣＤ３８の動作状態から決定する。
【００４７】
警告実行部７４では、音声警告モードで報知する場合、警告情報記憶部６７から音声ガイダンスデータ６７Ａを読出し、ドライバ６６を介してスピーカ６８で警告情報を示す音声ガイダンスを再生する。
【００４８】
また、表示警告モードで報知する場合は、警告情報記憶部６７から表示データ６７Ｂを読出し、ＯＳＤ１１４及びＬＣＤ制御部１１２を介してＬＣＤ３８上の画像に重ねて警告情報を表示する。
【００４９】
以下に、本実施の形態の作用を説明する。
【００５０】
デジタルカメラ１０の電源スイッチ６４が操作されて電源が投入されると、警告部７０では警告情報報知処理が実行される。
【００５１】
図４には警告情報報知処理プログラムの流れを示すフローチャートが示されており、同図を参照して警告情報報知処理について説明する。
【００５２】
まず、ステップ１３０では、警告情報管理部８０でデジタルカメラ１０各部の状態を検出し、次のステップ１３２で検出した状態が予め定められた警告が必要な状態であるか否かを判定する。当該判定が否定判定である場合は報知しないものと判断し、本警告情報報知処理を終了する。一方、肯定判定である場合は警告情報の報知を行うと判断し、ステップ１３４に移行して、警告指示部７８で警告指示信号を生成した後、ステップ１３６に移行して重要度判別部７６で警告指示された警告情報の重要度を判別する。
【００５３】
ここで、重要度は図５のに示されるように予め設定されており、重要度Ａは警告情報のうち最も重要である情報が設定されており、本実施の形態では、バッテリ残量がわずかであること、メモリカードの空容量がないカードフルの状態であること、メモリカードが装填されていない、認識できない等の装填状態不良がこれに該当する。また、重要度は、例えば、メモリカードの空容量に関する警告情報は、重要度Ｂでは空容量が画像ファイル約１個分であること、重要度Ｃでは空容量が画像ファイル約２〜５個分であること、重要度Ｄでは、空容量が画像ファイル約５個分以上あることが設定されており、重要度がＡ、Ｂ、Ｃ、Ｄの順に低くなるようにしている。
【００５４】
また、この重要度に応じて警告モードが設定されており、次のステップ１３８では、重要度に応じた警告モードで報知処理が行われ、本警告情報報知処理を終了する。以下に、各重要度に応じた報知処理について、それぞれ説明する。
【００５５】
図６は、警告指示のあった警告情報が重要度Ａの場合に実行される報知処理Ａの流れを示すフローチャートである。
【００５６】
まず、ステップ１４０でＬＣＤ３８の動作状態を検出した後、ステップ１４２に移行してＬＣＤ３８の動作状態がＯＮであったか否かを判定する。該判定が否定判定の場合は、ＬＣＤ３８をＯＦＦであると判断し、ステップ１４４に移行してＬＣＤ３８を強制的にＯＮにした後、ステップ１４６を実行する。一方、ステップ１４２で肯定判定である場合は、既にＬＣＤ３８がＯＮの状態であるのでステップ１４６に移行する。
【００５７】
ステップ１４６では、警告情報記憶部６７から音声ガイダンスデータ６７Ａ及び表示データ６７Ｂを読出した後、ステップ１４８に移行してスピーカ６８で音声ガイダンスを再生すると共に、ＬＣＤ３８に警告情報を表示して本報知処理Ａを終了する。
【００５８】
次に、図７は、重要度Ｂの警告情報を報知する場合に実行される報知処理Ｂの流れを示すフローチャートである。
【００５９】
まず、ステップ１５０では、ＬＣＤの動作状態を検出した後、ステップ１５２に移行してＬＣＤがＯＮの状態であるか否かを判定する。該判定が否定判定である場合はＬＣＤ３８がＯＦＦの状態であると判断し、ステップ１５３に移行して出力データ記憶部６７から音声ガイダンスデータ６７Ａだけを読出し、次のステップ１５４に移行して、警告実行部７４からドライバ６６を介してスピーカ６８で警告情報を示す音声ガイダンスを再生し、本報知処理Ｂを終了する。
【００６０】
一方、ステップ１５２で肯定判定の場合はＬＣＤ３８がＯＮの状態であるため、ステップ１５６に移行して警告情報記憶部６７から音声ガイダンスデータ６７Ａ及び表示データ６７Ｂを読出した後、ステップ１５８に移行してドライバ６６を介してスピーカ６８に警告情報を示す音声ガイダンスを出力すると共に、ＯＳＤ１１４を介してＬＣＤ３８に警告情報を表示して本報知処理Ｂを終了する。
【００６１】
図８には、重要度Ｃの警告情報を報知する場合に実行される報知処理Ｃの流れを示すフローチャートが示されており、まず、ステップ１６０で警告情報記憶部６７から音声データ６７Ａを読出し、ステップ１５２に移行してドライバ６６を介してスピーカ６８で警告情報を示す音声ガイダンスを再生して本報知処理Ｃを終了する。
【００６２】
図９には、重要度Ｄの警告情報を報知する場合に実行される報知処理Ｄの流れを示すフローチャートが示されている。
【００６３】
まず、ステップ１６４でＬＣＤ３８の動作状態を検出した後、ステップ１６６に移行してＬＣＤ３８の動作状態がＯＮであるか否かを判定する。該判定が否定判定の場合はＬＣＤ３８がＯＦＦの状態であると判断し、警告情報を報知せずに本報知処理Ｄを終了する。
【００６４】
一方、ステップ１６６で肯定判定である場合はＬＣＤ３８がＯＮの状態であり、ステップ１６８に移行して警告情報記憶部６７から表示データ６７Ｂを読み出した後、ステップ１７０に移行してＯＳＤ１１４を介してＬＣＤ３８に警告情報を表示し、本報知処理Ｄを終了する。
【００６５】
このように、重要度が高いものは複数の警告モードを使用して警告情報を報知し、重要度が低くなるに従いＬＣＤ３８の動作状況を考慮して使用する警告モードを減らすようにしている。
【００６６】
すなわち、重要度Ａの警告情報はＬＣＤ３８の動作状態にかからず音声警告モードと表示警告モードとの両方で警告情報を報知し、ユーザーへの注意を促すようにしている。また、重要度Ｂの警告情報は音声警告モードで報知するが、ＬＣＤ３８が既にＯＮである場合には表示警告モードでも報知しており、重要度ＣではＬＣＤ３８の動作状態にかかわらず音声警告モードだけで警告情報を報知するようにしている。重要度Ｃの警告情報は特に報知しないが、ＬＣＤ３８がＯＮの状態であるときだけ表示警告モードで報知するようにしている。
【００６７】
以上説明したように、本実施の形態のデジタルカメラ１０によれば、警告情報管理部８０で予め定められた所定の警告が必要か否かを判別し、警告が必要と判断された場合に警告指示部７８で警告を指示する指示信号を生成し、ＬＣＤ監視部７２で指示信号の入力時にＬＣＤ３８の動作状態を認識するようになっており、警告指示があったときにＬＣＤ３８の動作状態が認識できる。
【００６８】
また、スピーカ６８で音声によって情報を報知し、警告実行部７４では、ＬＣＤ監視部７２でＬＣＤ３８が動作していないと認識されたときにスピーカ６８を用いて警告する音声警告モードを選択し、ＬＣＤ３８が動作していると認識されたときに当該ＬＣＤ３８を用いて警告する表示警告モードを選択するようにしており、ＬＣＤ３８の動作状態を考慮して警告情報の警告モードを選択するため、ＬＣＤ３８が動作していない場合でも警告情報を報知できる。
【００６９】
また、重要度判別部７６で警告の重要度を判別し、警告実行部７４で、警告の重要度に応じて警告モードの選択結果を調整するようにしており、警告実行部７４は、前記警告の重要度が最も高い場合、音声警告モード及び表示警告モードの両方を選択するようにしており、ユーザーへの注意を促すことができる。
【００７０】
なお、本実施の形態において、図５に警告が必要な状態を示したが、これに限らず、ピント合焦状態が良好であることやストロボ発光禁止設定時に被写体の光量が不足していること、逆光であること等の撮影状態や、実行中の撮影モード等の報知にも本発明の制御を用いることができる。
【００７１】
また、本実施の形態では、報知する情報の重要度を４段階設定していたが、この段階の数を変更してもよく、例えば重要度を２段階に設定し、表示警告モード又は音声警告モードのいずれか一方による報知をすることとしてもよい。
【００７２】
【発明の効果】
以上説明したように、本発明は、警告情報の内容及び画像表示手段の動作状態に応じた報知方法で警告情報を報知するという優れた効果を有する。
【図面の簡単な説明】
【図１】本実施の形態に係るデジタルカメラの制御ブロック図である。
【図２】（Ａ）はデジタルカメラの外観を背面側から見た斜視図、（Ｂ）は正面側から見た斜視図である。
【図３】警告情報報知制御の機能ブロック図である。
【図４】警告情報報知処理プログラムの流れを示すフローチャートである。
【図５】警告情報の重要度に対して設定された警告が必要な状態及び警告モードを示す図である。
【図６】報知処理Ａの流れを示すフローチャートである。
【図７】報知処理Ｂの流れを示すフローチャートである。
【図８】報知処理Ｃの流れを示すフローチャートである。
【図９】報知処理Ｄの流れを示すフローチャートである。
【符号の説明】
１０　　デジタルカメラ
１６　　バス
２０　　ＣＰＵ
２６　　不揮発性メモリ
３８　　ＬＣＤ
６６　　ドライバ
６８　　スピーカ（音声報知手段）
７０　　警告部
７２　　ＬＣＤ監視部（認識手段）
７４　　警告実行部（出力系選択手段、調整手段）
７６　　重要度判別部（出力系選択手段）
７８　　警告指示部（出力手段）
８０　　警告情報管理部（判別手段）
１１２　　ＬＣＤ制御部（画像表示手段）
１１４　　ＯＳＤ
【図１】
2004015616.tif 000003
【図２】
2004015616.tif 000004
【図３】
2004015616.tif 000005
【図４】
2004015616.tif 000006
【図５】
2004015616.tif 000007
【図６】
2004015616.tif 000008
【図７】
2004015616.tif 000009
【図８】
2004015616.tif 000010
【図９】
2004015616.tif 000011